(57)【要約】【課題】塗布時は液状乃至は軟ペースト状であって、硬化時間が短いレプリカ剤を提供する。【解決手段】皮膚の表面の形状を写し取るレプリカを作成する為の組成物のキットであって、１）アルギン酸及び／又はその水可溶性塩を含む組成物と２）アルカリ土類金属の水可溶性塩を含む組成物の少なくとも２つの組成物を構成要素とし、且つ、前記少なくとも２つの組成物が、使用前の状態に於いて互いに混合されずに保持され、用時に混合されて用いる、皮膚のレプリカ作成用の組成物キットを提供する。前記アルカリ土類金属の水可溶性塩としては、塩化カルシウムが好適に例示できる。【選択図】  なし【特許請求の範囲】
【請求項１】
皮膚の表面の形状を写し取るレプリカを作成する為の組成物のキットであって、１）アルギン酸及び／又はその水可溶性塩を含む組成物と２）アルカリ土類金属の水可溶性塩を含む組成物の少なくとも２つの組成物を構成要素とし、且つ、前記少なくとも２つの組成物が、使用前の状態に於いて互いに混合されずに保持され、用時に混合されて用いることを特徴とする、皮膚のレプリカ作成用の組成物キット。
【請求項２】
アルカリ土類金属の水可溶性塩が、塩化カルシウムであることを特徴とする、請求項１に記載の皮膚のレプリカ作成用の組成物キット。
【請求項３】
前記少なくとも２つの組成物に於ける、アルギン酸及びその水可溶性塩とアルカリ土類金属の水可溶性塩との含有量の重量比が、３：１〜１：３であることを特徴とする、請求項１又は２に記載の組成物キット。
【請求項４】
少なくとも２つの組成物の何れか又は両方に、更に、油脂を、混合後の組成物全量に対して、総量で５〜３０重量％  含有することを特徴とする、請求項１〜３何れか１項に記載の組成物キット。
【発明の詳細な説明】
【０００１】
【発明の属する技術分野】
本発明は、皮膚の表面の形状を写し取るレプリカを作成する為の組成物のキットに関する。
【０００２】
【従来の技術】
化粧料の選択などを行う際に重要な事項は、的確に皮膚の性状を把握することである。この様な皮膚の性状分析の手段としては、皮脂分泌量、皮膚の表面形状、角質細胞の形状などの分析が有力な手段であることは既に知られている。この中で、皮膚の表面形状は、加齢状態や紫外線などの影響を受けた程度を反映するものであり、非常に重要な情報が含まれていることが知られている。（特開２００２−１６５７７７、特開２０００−３４２５５６、特開２０００−３１５２５７）通常、この様な皮膚の表面形状を測定するには、所謂レプリカ法が用いられている。レプリカ法は、もともとは塩化ビニル等の透明樹脂板の表面を、酢酸エチルなどの溶剤で部分溶解させ、これを皮膚上に圧着させて、皮膚の表面の凹凸を写し取るものであったが、部分溶解している時間が極めて短く、且つ、溶解の程度にムラが大きい為、種々改良されるようになってきている。かかる改良例としては、例えば、水溶性高分子の溶液を用い、ムラをなくす技術（、特開平０１−２５０２２３、特開平０１−２５０３３４、特開平０４−２２３４０、特開平０５−３１７２９２、特開平１０−１０１５１８）、硬化性のシリコーンを用いる技術（特開平１１−１６９４５３）、アクリル酸アルキルなどのポリマーエマルションを用いる技術（特開平１１−３１４４１６）等が例示できる。これらの中では、皮膚の起伏構造を忠実に転写できる点で、特開平０５−３１７２９２に記載の技術が特に優れている。しかしながら、これらは、何れもムラの改善という点では大きな進歩をもたらしたが、硬化するまでに１０〜２０分を要し、この間に時としてこの間に皮膚との接触不良を起こすことがあり、なれない人が行うと、不具合が１０％以上も出ることがあり、ここに改善の余地があった。言い換えれば、塗布時は液状乃至は軟ペースト状であって、硬化時間が短いレプリカ剤の開発が望まれていた。
【０００３】
一方、アルギン酸カルシウムについては、用時にアルギン酸カルシウムを析出させて、被膜を形成させ、パック料として用いる、所謂、「アルゲパック」の技術が知られており、その被膜特性の良さと使用感の良さから、エステティックの分野で使用されているが、（特開２００２−２５５７７９、特開２００２−２４１２２０、特開２００２−３２７５５４）この被膜形成特性をレプリカ剤に応用した例はない。従って、この様な被膜形成技術が、レプリカ作成に有用であることも全く知られていなかった。
【０００４】
【発明が解決しようとする課題】
本発明は、この様な状況下為されたものであり、塗布時は液状乃至は軟ペースト状であって、硬化時間が短いレプリカ剤を提供することを課題とする。
【０００５】
【課題の解決手段】
この様な状況に鑑みて、本発明者らは、塗布時は液状乃至は軟ペースト状であって、硬化時間が短いレプリカ剤を求めて、鋭意研究努力を重ねた結果、皮膚の表面の形状を写し取るレプリカを作成する為の組成物のキットであって、１）アルギン酸及び／又はその水可溶性塩を含む組成物と２）アルカリ土類金属の水可溶性塩を含む組成物の少なくとも２つの組成物を構成要素とし、且つ、前記少なくとも２つの組成物が、使用前の状態に於いて互いに混合されずに保持され、用時に混合されて用いる構成のレプリカ剤キットに、その様な特性を見出し、発明を完成させるに至った。即ち、本発明は以下に示す技術に関するものである。
（１）皮膚の表面の形状を写し取るレプリカを作成する為の組成物のキットであって、１）アルギン酸及び／又はその水可溶性塩を含む組成物と２）アルカリ土類金属の水可溶性塩を含む組成物の少なくとも２つの組成物を構成要素とし、且つ、前記少なくとも２つの組成物が、使用前の状態に於いて互いに混合されずに保持され、用時に混合されて用いることを特徴とする、皮膚のレプリカ作成用の組成物キット。
（２）アルカリ土類金属の水可溶性塩が、塩化カルシウムであることを特徴とする、（１）に記載の皮膚のレプリカ作成用の組成物キット。
（３）前記少なくとも２つの組成物に於ける、アルギン酸及びその水可溶性塩とアルカリ土類金属の水可溶性塩との含有量の重量比が、３：１〜１：３であることを特徴とする、（１）又は（２）に記載の組成物キット。
（４）少なくとも２つの組成物の何れか又は両方に、更に、油脂を、混合後の組成物全量に対して、総量で５〜３０重量％  含有することを特徴とする、（１）〜（３）何れか１項に記載の組成物キット。
【０００６】
【発明の実施の形態】
（１）本発明のレプリカ作成キットの構成要素であるアルギン酸及び／又は水可溶性塩を含有する組成物
本発明のレプリカ作成用のキットは、アルギン酸及び／又はその水可溶性塩を含有する組成物を構成要素とする。ここで、アルギン酸の水溶性の塩としては、水の溶けて液状を呈するものであれば特段の限定はなく、例えば、ナトリウム塩、カリウム塩等のアルカリ金属塩、アンモニウム塩、トリエチルアミン塩やトリエタノールアミン塩等の有機アミン塩、アルギニン塩やリジン塩等の塩基性アミノ酸塩などが例示できるが、水溶性の高さと安定性の面でアルギン酸のアルカリ金属塩、取り分けナトリウム塩を用いることが特に好ましい。アルギン酸とその塩は２種以上を組み合わせて使用することも可能であるが、この様な場合においても、ナトリウム塩との組み合わせが好ましく、ナトリウム塩を単独で使用することが特に好ましい。本発明のレプリカ作成用のキットに於いて、かかるアルギン酸及び／又はその水可溶性塩は、アルカリ土類金属根と対を形成して、水不溶性の被膜を形成させる働きを有する。かかる被膜が皮膚の表面形状を写し取る。かかる作用を発揮する為には、アルギン酸及びその水可溶性塩は、混合した形態に於いて、その全量の０．５〜５重量％、更に好ましくは０．７〜３重量％含有することが好ましい。これは少なすぎると被膜が弱い場合があり、多すぎると被膜に脆弱性が出てしまうことがある為である。これらは何れもレプリカ剤として好ましくない。
【０００７】
本発明の、レプリカ作成キットの構成要素であるアルギン酸及び／又は水可溶性塩を含有する組成物においては、上記必須成分以外に、通常レプリカ剤で使用される任意成分、或いは、パック化粧料などの被膜形成組成物で使用される任意成分を、本発明の効果を損ねない範囲に於いて含有することが出来る。かかる任意成分としては、例えば、スクワラン、流動パラフィン、軽質流動イソパラフィン、重質流動イソパラフィン、マイクロクリスタリンワックス、固形パラフィンなどの炭化水素類、ジメチコン、フェメチコン、シクロメチコン、アモジメチコン、ポリエーテル変性シリコーンなどのシリコーン類、ホホバ油、カルナウバワックス、モクロウ、ミツロウ、ゲイロウ、オレイン酸オクチルドデシル、イソプロピルミリステート、ネオペンチルグリコールジイソステアレート、リンゴ酸ジイソステアレートなどのエステル類、ステアリン酸、ラウリン酸、ミリスチン酸、パルミチン酸、イソステアリン酸、イソパルミチン酸、ベヘン酸、オレイン酸などの脂肪酸類、ベヘニルアルコール、セタノール、オレイルアルコール、オクタデシルアルコールなどの高級アルコール類、ヒマシ油、椰子油、水添椰子油、椿油、小麦胚芽油、イソステアリン酸トリグリセライド、イソオクタン酸トリグリセライド、オリーブオイル等のトリグリセライド類、１，３−ブタンジオール、グリセリン、ジグリセリン、ジプロピレングリコール、ポリエチレングリコール、１，２−ペンタンジオール、１，２−ヘキシレングリコール、イソプレングリコールなどの多価アルコール、ソルビタンセスキオレート、ソルビタンモノオレート、ソルビタントリオレート、ソルビタンセスキステアレート、ソルビタンモノステアレート、ポリオキシエチレンソルビタンモノオレート、ポリオキシエチレンソルビタンモノステアレート、ポリオキシエチレンステアレート、ポリオキシエチレンオレート、ポリオキシエチレングリセリル脂肪酸エステル、ポリエキシエチレンアルキルエーテル、ポリオキシエチレン硬化ヒマシ油等の非イオン界面活性剤、ソジウムラウリルステアレート、ポリオキシエチレンアルキル硫酸塩、スルホコハク酸エステル塩などのアニオン界面活性剤、４級アルキルアンモニウム塩等のカチオン界面活性剤類、アルキルベタイン等の両性界面活性剤類、結晶セルロースや架橋型メチルポリシロキサン、ポリエチレン粉末、アクリル樹脂粉体等の有機粉体類、タルク、マイカ、セリサイト、炭酸マグネシウム、炭酸カルシウム、二酸化チタン、酸化鉄、紺青、群青、チタンマイカ、チタンセリサイト、シリカ等の表面処理されていても良い粉体類、アクリル酸・メタクリル酸アルキルコポリマー及び／又はその塩、カルボキシビニルポリマー及び／又はその塩、キサンタンガムやヒドロキシプロピルセルロースなどの増粘剤、レチノール、レチノイン酸、トコフェロール、リボフラビン、ピリドキシン、アスコルビン酸、アスコルビン酸リン酸エステル塩などのビタミンやグリチルリチン酸塩、グリチルレチン、ウルソール酸、オレアノール酸などのテルペン類、エストラジオール、エチニルエストラジオール、エストリオールなどのステロイド類などの有効成分、フェノキシエタノール、パラベン類、ヒビテングルコネート、塩化ベンザルコニウム等の防腐剤、ジメチルアミノ安息香酸エステル類、桂皮酸エステル類、ベンゾフェノン類などの紫外線吸収剤などが好ましく例示できる。又、本発明のレプリカ用のキットとしては、（Ａ）の組成物は、塗布時は液状乃至は軟ペースト状であることが、確度高く高質のレプリカを作成する為には好ましい。かかる性状は、水の添加量によって調節することが出来る。
【０００８】
（２）本発明のレプリカ作成キットの構成要素であるアルカリ土類金属の水可溶性塩を含有する組成物
本発明のレプリカ作成キットは、アルカリ土類金属の水可溶性塩を含有する組成物を構成要素して含有することを特徴とする。アルカリ土類の金属としては、カルシウム、バリウム、マグネシウムが好適に例示でき、その塩としては塩化物或いは硝酸塩が好ましく例示でき、汎用性から塩化物が好適に例示できる。かかるアルカリ土類金属の塩は唯一種を含有することも出来るし、二種以上を組み合わせて含有することも出来る。本発明のレプリカ作成用のキットに於ける、アルカリ土類金属の水可溶性塩の含有量は、混合した使用直前の形態に於いて、その全量の０．２〜５重量％、更に好ましくは０．４〜３重量％含有することが好ましい。これは少なすぎると被膜が弱い場合があり、多すぎると被膜に脆弱性が出てしまうことがある為である。これらは何れもレプリカ剤として好ましくない。更に、前記アルギン酸及び／又はその水可溶性塩と当該アルカリ金属の水可溶性塩とは、混合時以前に於いては、互いに接触しない状態で保持されることが必要である。
【０００９】
本発明のレプリカ作成キットの構成要素であるアルカリ土類金属の水可溶性塩を含有する組成物においては、アルギン酸及び／又は水可溶性塩を含有する組成物同様、上記必須成分以外に、通常レプリカ剤で使用される任意成分、或いは、パック化粧料などの被膜形成組成物で使用される任意成分を、本発明の効果を損ねない範囲に於いて含有することが出来る。かかる任意成分の具体例としては、アルカリ土類金属の水可溶性塩を含有する組成物における任意成分と同様のものが例示できる。
【００１０】
（３）本発明のレプリカ作成キット
本発明のレプリカ作成キットは、上記２種の必須構成要素を、構成要素として含有することを特徴とする。本発明のレプリカ作成キットに於ける好ましい形態としては、最終的なレプリカ作成段階の形態に於いて、１気圧２５℃で液体の油脂成分を５〜２５重量％、更に好ましくは、１０〜１８重量％含有するように設計することである。この様な形態にする為には、当該油性成分を、前記（１）又は（２）に記載の必須構成要件の組成分中に含有させるか、第三の構成要件として独立した組成物とし、レプリカ作成段階に於いて、用時混合するかが挙げられ、これらの何れの形態でも良い。特に好ましいのは、（１）の組成物中に界面活性剤とともに含有させる形態である。かかる際に使用する界面活性剤としては、安全性と油性成分の分散性を考慮して、ＰＯＥアルキルエーテル型、ＰＯＥソルビタン脂肪酸エステル型或いはソルビタン脂肪酸エステル型などの非イオン界面活性剤を使用することが好ましい。かかる非イオン界面活性剤の好ましい含有量は、最終形態に於いて、２〜１５重量％であり、更に好ましくは４〜１０重量％である。かかる油脂と界面活性剤を含有することにより、剥離時のレプリカの破壊を抑制するとともに、レプリカの経時的な収縮を抑えることが出来る。
【００１１】
本発明のレプリカ作成キットを用いて、レプリカ作成を行うには、次に示す手順に則って行うのが好ましい。即ち、
１）（１）の組成物に、所望により、他の任意成分を含んでなる組成物を加え、一様に混合して、これをレプリカを作成すべき皮膚上に塗布する。塗布に際しては、厚さが０．０５〜０．３ｍｍ程度の厚さで、均一になる様に塗布する。
２）１）の塗布面に上部より、（２）の組成物を一様に塗布する。かかる塗布には、（２）の組成物を予め噴霧用の容器に充填し、噴霧するのが好適である。
３）１〜３分静置し、固化を確認して、端よりゆっくり剥離する。
かかる操作に於いて、注目すべきは、固化時間が１〜３分と極めて短いことと、経験のない素人が操作しても、不具合なく、観察可能なレプリカが得られることである。
【００１２】
【実施例】
以下に、実施例を挙げて、本発明について更に詳細に説明を加えるが、本発明がかかる実施例にのみ限定されないことは言うまでもない。
【００１３】
＜実施例１＞
以下に示す、（Ａ）及び（Ｂ）の組成物を作成し、（Ａ）はチューブに充填し、（Ｂ）は噴霧瓶に充填し、本発明のレプリカ作成用のキット１とした。同時に、下記に処方を示す、従来の技術である、水溶性高分子を用いたレプリカ剤を作成し、レプリカの作り具合を比較した。レプリカの作り具合は専門パネラーを用いて行い、レプリカ作成にかかる時間、出来たレプリカの皮膚向上の転写のし具合（細部構造の確認のし易さ）を測定又は判定した。レプリカの皮膚向上の転写のし具合（細部構造の確認のし易さ）の判定は、レプリカを光学顕微鏡で観察し、◎：非常に微細部まで観察できる、○：ほぼ微細構造が観察できる、△：大きな構造は観察できるが微細部分は観察不可能、×：観察に不適の基準で行った。結果は、表１に示す。本発明のキットを用いることにより、短時間で確度の高いレプリカ標本が出来ることがわかる。図１には、本発明のレプリカ作成用のキットを用いて作成したレプリカ標本の顕微鏡写真を、図２には、従来例のそれを示す。
【００１４】
＜本発明のレプリカ作成用のキット＞
（Ａ）
イ
流動パラフィン                            １８    重量部
水添パーム油                                ４    重量部
ＰＯＥ（４０）フィトステロール              ２    重量部
ソルビタンモノオレート                      １．５重量部
ＰＯＥ（２０）ソルビタンジオレート          ６    重量部
ロ
１，３−ブタンジオール                      ７    重量部
二酸化チタン                                ２．３重量部
アルギン酸ナトリウム                        ２    重量部
水                                        ５９．２重量部
製法）
イ、ロを８０℃に加熱し、一様になるよう良く混合し。ロにイを徐々に攪拌しながら加え、攪拌冷却してクリーム状の組成物を得た。これをチューブに詰めてキットの（Ａ）成分とした。
（Ｂ）
塩化カルシウム                              ２    重量部
クエン酸                                  ０．０１重量部
クエン酸ナトリウム                          ０．１重量部
水                                      ９７．８９重量部
製法）
処方成分を室温で良く混合し、可溶化して液状組成物を得た。これを噴霧瓶に詰め、キットの（Ｂ）成分とした。
レプリカの作成）
（Ａ）の組成物１ｇを塗布し、しかる後に（Ｂ）の組成物を０．５ｍｌ噴霧し、表面が固化するまでの待ち、この時間を測定し、剥離してレプリカを得た。
【００１５】
＜従来のレプリカ剤＞
イ
ベンガラ                                  ０．０１重量部
二酸化チタン                                ７    重量部
１，３−ブタンジオール                      ２    重量部
水                                    ２６．６８５重量部
ロ
ポリビニルアルコール                        ４    重量部
ハ
ＰＯＥ（２０）ソルビタンモノステアレート    ０．８重量部
ソルビタンモノオレート                      ０．２重量部
ステアリン酸                                ０．２重量部
流動パラフィン                              ７    重量部
ｄ−δ−トコフェロール                  ０．００５重量部
ニ
ポリ酢酸ビニル液                            ５    重量部
ホ
エタノール                                  ５    重量部
ＰＯＥ（８）ＰＯＰ（５５）                  １    重量部
ヘ
カオリン                                  ３８    重量部
製法）
イ、ロ、ハの各成分をそれぞれ別々に８０℃に温調し、ハにイとロの成分を混合し、４０℃まで冷却した後、更に、ニ、ホ、ヘの各成分を加えてレプリカ剤とした。
レプリカの作成）
レプリカ剤１．５ｇを塗布し、全体が固化するまで待ち、この時間を測定し、剥離してレプリカを得た。
【００１６】
【表１】
2004173801.tif 000002
【００１７】
＜実施例２＞
実施例１のレプリカ作成用のキットを用いて、素人の人がレプリカ作成するのにどの程度困難があるかを調べた。即ち、レプリカ作成経験のない人を無作為に２０名選んで、レプリカ作成用のキットを渡し、自分の頬部の皮膚のレプリカを作成してもらった。同時に従来のレプリカ剤でも同様に作成してもらった。回収したレプリカを顕微鏡観察して、実施例１の基準で判定した。結果を表２に出現例数として示す。これより、本発明のキットを用いることにより、素人でも確度高く、品質の高いレプリカが作成できることがわかる。
【００１８】
【表２】
2004173801.tif 000003
【００１９】
＜実施例３＞
組成物（Ａ）の油脂の量を変えて、レプリカの出来具合を観察した。評価項目は、実施例１同様固化時間と転写のし具合とした。又、収縮の有無も同時に観察した。結果を表３に示す。これより、１気圧２５℃で液体の油脂成分を５〜２５重量％含有することが好ましいことがわかる。（Ｂ）の組成物、（Ａ）の製法、レプリカの製法は実施例１に同じ。
（Ａ）
イ
流動パラフィン                              ＊    重量部
水添パーム油                                ４    重量部
ＰＯＥ（４０）フィトステロール              ２    重量部
ソルビタンモノオレート                      １．５重量部
ＰＯＥ（２０）ソルビタンジオレート          ６    重量部
ロ
１，３−ブタンジオール                      ７    重量部
二酸化チタン                                ２．３重量部
アルギン酸ナトリウム                        ２    重量部
水                                    ７７．２−＊重量部
＊表３に記す。
【００２０】
【表３】
2004173801.tif 000004
【００２１】
【発明の効果】
本発明によれば、塗布時は液状乃至は軟ペースト状であって、硬化時間が短いレプリカ剤を提供することができる。
【図面の簡単な説明】
【図１】実施例１の本発明のキット１を用いて作成したレプリカを示す図である。（図面代用写真）
【図２】実施例１の従来の方法で作成したレプリカを示す図である。（図面代用写真）
【図１】
2004173801.tif 000005
【図２】
2004173801.tif 000006